(57)【特許請求の範囲】
【請求項１】
段ボールの中芯の波形と平行な方向に順次隣り合う第１の平面部分Ａと第２の平面部分Ｃと第３の平面部分Ｅと第４の平面部分Ｇと第５の平面部分Ｈとの間にそれぞれ形成される第１の折り曲げ部分Ｂと第２の折り曲げ部分Ｄと第３の折り曲げ部分Ｆと第４の折り曲げ部分Ｉを順次折り畳み、さらに、前記第１の平面部分Ａの第２の平面部分Ｃの反対側に順次隣り合う第６の平面部分Ｋと第７の平面部分Ｍと第８の平面部分Ｎとの間にそれぞれ形成される第５の折り曲げ部分Ｊと第６の折り曲げ部分Ｌと第７の折り曲げ部分Ｏを順次折り畳むことによって、平面部分が８層に積層された段ボール製緩衝材であって、
第１の折り曲げ部分Ｂには、当該段ボールの１層分の厚みのほぼ整数倍の幅で平行に形成された２本の切り込みが、少なくとも一面側のライナー層を残して他面側から形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
前記第２の平面部分Ｃと第２の折り曲げ部分Ｄと第３の平面部分Ｅは、各切り込みが外側に開くように９０度ずつ折り曲げてコ字状に折り曲げられるとともに、
前記第３の平面部分Ｅと第３の折り曲げ部分Ｆと第４の平面部分Ｇは、各切り込みが外側に開くように９０度ずつ折り曲げてコ字状に折り曲げられるとともに、
第５の平面部分Ｈは、第４の折り曲げ部分Ｉの切り込みが外側に開くように折り曲げられて、第３の平面部分Ｅと第４の平面部分Ｇとの間に配設された状態に形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
第５の折り曲げ部分Ｊには、前記第１の折り曲げ部分Ｂの幅より狭い２本の切り込みもしくは１本の切り込みが、少なくとも前記一面側のライナー層を残して他面側から形成され、
第６の折り曲げ部分Ｌには、前記第５の折り曲げ部分Ｊの幅より狭い２本の切り込みもしくは１本の切り込みが、少なくとも前記一面側のライナー層を残して他面側から形成され、
前記第１の平面部分Ａと第５の折り曲げ部分Ｊと第６の平面部分Ｋは、各切り込みが外側に開くように９０度ずつ折り曲げてコ字状に折り曲げられるとともに、
前記第６の平面部分Ｋと第６の折り曲げ部分Ｌと第７の平面部分Ｍは、各切り込みが外側に開くように９０度ずつ折り曲げてコ字状に折り曲げられるとともに、
第８の平面部分Ｎは、第７の折り曲げ部分Ｏの切り込みが外側に開くように折り曲げられて、第６の平面部分Ｋと第７の平面部分Ｍとの間に配設された状態に形成され、
各層の平面部分の少なくとも何れかの層に、収納物の形状に応じたくり抜き部分が形成され、
前記第３の折り曲げ部分Ｆ及び第第６の折り曲げ部分Ｌの外側に前記第１の折り曲げ部分Ｂが重なって二重になった部分には空間Ｚが形成され、
第１の平面部分Ａの波型と第１の折り曲げ部分Ｂの波型、第１の折り曲げ部分Ｂの波型と第２の平面部分Ｃの波型、第２の平面部分Ｃの波型と第２の折り曲げ部分Ｄの波型、第２の折り曲げ部分Ｄの波型と第３の平面部分Ｅの波型、第３の平面部分Ｅの波型と第３の折り曲げ部分Ｆの波型、及び第３の折り曲げ部分Ｆの波型と第４の平面部分Ｇの波型は、それぞれ９０度に形成され，
第１の平面部分Ａの波型と第５の折り曲げ部分Ｊの波型、第５の折り曲げ部分Ｊの波型と第６の平面部分Ｋの波型、第６の平面部分Ｋの波型と第６の折り曲げ部分Ｌの波型、及び第６の折り曲げ部分Ｌの波型と第７の平面部分Ｍの波型は、それぞれ９０度に形成されてなることを特徴とする段ボール製緩衝材。
【請求項２】
請求項１に記載の段ボール製緩衝材で多層構造の柱状体５を形成し、この柱状体の側面に収納物を挿入するための開口部51を設けたことを特徴とする段ボール製緩衝材。
【発明の詳細な説明】
【０００１】
【産業上の利用分野】
本発明は、梱包した製品を運搬する際に衝撃などから製品を有効に保護するための梱包用段ボール緩衝材に関するものである。
【０００２】
【従来の技術】
従来、無線通信機等の電子機器は、衝撃等を受けると故障したり、品質が劣化したりしやすいため、慎重な取り扱いが必要である。
特に、これらを運搬する際が衝撃を受ける可能性が一番高いので、製造者は、これらの電子機器を出荷する際には、衝撃が製品に影響を与えないようにするため、多くの緩衝材を製品の周囲に詰め、梱包を行っていた。
【０００３】
これらの緩衝材は、外部から加えられる衝撃を緩衝し、製品を保護するだけでなく、梱包された製品を、梱包箱の中で固定する固定材としての機能をも果たす必要がある。
【０００４】
従来から、このような緩衝材としての機能と固定材としての機能の両方を併せ持つ緩衝材としては、発泡スチロールや発泡ポリエチレン等のプラスチック系の素材が多く採用されている。
しかし、これらのプラスチック系の素材は、燃やすときに有毒ガスを発生するために焼却処理が行えないばかりか、地中に埋めても分解されないので、全地球的な環境問題となっている。
【０００５】
近年、これらの事情に鑑みて、従来の発泡スチロール等の緩衝材に代わるものとして、段ボール製の緩衝材が注目されており、多くの提案がなされている。
例えば、特開平8-58843 号公報には、複数の段ボールを収納物の形状に対応する形状に予め切断しておき、これらを順次、貼着・ 積層して構成された緩衝材が開示されている。
【０００６】
また、特開平7-237668号公報には、段ボール素材に一定の間隔でスリットを設け、このスリットを折り曲げ部分として、折り返し状に折曲して重ね合わせて構成された緩衝材が開示されている。
さらに、特開平7-76373 号公報には、単一の段ボールを特定方向に折り曲げ、多層構造の柱状体とし、この柱状体の側面に製品を挿入するための開口部を設けた緩衝材が開示されている。
【０００７】
【発明が解決しようとする課題】
しかしながら、上述したような従来の段ボール製緩衝材では、以下のような問題点があった。
まず、特開平8-58843 号公報に記載の緩衝材では、複数の段ボールを順次貼着する必要があるため、その貼着作業が非常に煩雑となり、また、貼着のための接着剤が必要となるので、コスト的な問題があった。
【０００８】
そこで、横長の段ボールを順次折り曲げて厚い緩衝材を形成することが考えられるが、一定の整った形状に折り曲げるためには、折り曲げ部に厚さの半分程度の切り込みを入れて折り曲げ易くする必要がある。そして、交互に折り曲げるためには、上記切り込みは段ボールの裏表の両面から交互に設ける必要がある。このような裏表の両面から切り込みを入れる作業は段ボールを裏返えす作業を要するので大変煩わしい作業となり作業の能率が悪い。
【０００９】
そこで、片面だけに設けた切り込みで交互に折り曲げるものとして、特開平7-237668号公報が提案されている。しかし、この公報に開示されたものは、折り曲げ部がスリット( ミシン目) で構成されているため、折り曲げにくく、また、折り返し状に折曲して重ね合わせるため、折り曲げ部で元の形状に戻ろうとする復元力が働くので、折り曲げ方向に伸びてしまい、形状が一定しないという問題があった。
【００１０】
さらに、特開平7-76373 号公報では、段ボールを特定の方向に折り曲げ、多層構造の柱状体にするため、柱状体の側面方向の衝撃に対しては緩衝できるものであるが、両端部方向からの衝撃に対しては、緩衝できない。そこで、両端部方向からの衝撃を緩衝させるために、切り込み等を設けて、この部分が撓むことによって緩衝させるという構造が必要となる。
【００１１】
しかし、このような切り込みを設けることは容易であるが、切り取られた部分が余分な廃棄物となり、段ボールの素材の利用効率と廃棄物の処理の点からコスト的な問題が生じる。
また、柱状体を段ボールの端部分から丸めるようにして折り曲げて形成するために、中心部分と外周部分とでは折り曲げ部分から次の折り曲げ部分までの間隔が異なるため、折り曲げ部分の形成の際に、これらを考慮して形成する必要がある。
【００１２】
そこで、本発明は、従来の各緩衝材の問題を解決し、段ボールの特性を生かして、収容物を固定する機能および衝撃を緩衝する機能を具備するとともに、片面からだけの加工によって、極めて簡単に製作できるとともに、接着剤等が不要で低コストで製作できる積層された構造の緩衝材を提供することを目的としてなされたものである。
【００１３】
【課題を解決するための手段】
請求項１の段ボール製緩衝材は、
段ボールの中芯の波形と平行な方向に順次隣り合う第１の平面部分Ａと第２の平面部分Ｃと第３の平面部分Ｅと第４の平面部分Ｇと第５の平面部分Ｈとの間にそれぞれ形成される第１の折り曲げ部分Ｂと第２の折り曲げ部分Ｄと第３の折り曲げ部分Ｆと第４の折り曲げ部分Ｉを順次折り畳み、さらに、前記第１の平面部分Ａの第２の平面部分Ｃの反対側に順次隣り合う第６の平面部分Ｋと第７の平面部分Ｍと第８の平面部分Ｎとの間にそれぞれ形成される第５の折り曲げ部分Ｊと第６の折り曲げ部分Ｌと第７の折り曲げ部分Ｏを順次折り畳むことによって、平面部分が８層に積層された段ボール製緩衝材であって、
第１の折り曲げ部分Ｂには、当該段ボールの１層分の厚みのほぼ整数倍の幅で平行に形成された２本の切り込みが、少なくとも一面側のライナー層を残して他面側から形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
前記第２の平面部分Ｃと第２の折り曲げ部分Ｄと第３の平面部分Ｅは、各切り込みが外側に開くように９０度ずつ折り曲げてコ字状に折り曲げられるとともに、
前記第３の平面部分Ｅと第３の折り曲げ部分Ｆと第４の平面部分Ｇは、各切り込みが外側に開くように９０度ずつ折り曲げてコ字状に折り曲げられるとともに、
第５の平面部分Ｈは、第４の折り曲げ部分Ｉの切り込みが外側に開くように折り曲げられて、第３の平面部分Ｅと第４の平面部分Ｇとの間に配設された状態に形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
第５の折り曲げ部分Ｊには、前記第１の折り曲げ部分Ｂの幅より狭い２本の切り込みもしくは１本の切り込みが、少なくとも前記一面側のライナー層を残して他面側から形成され、
第６の折り曲げ部分Ｌには、前記第５の折り曲げ部分Ｊの幅より狭い２本の切り込みもしくは１本の切り込みが、少なくとも前記一面側のライナー層を残して他面側から形成され、
前記第１の平面部分Ａと第５の折り曲げ部分Ｊと第６の平面部分Ｋは、各切り込みが外側に開くように９０度ずつ折り曲げてコ字状に折り曲げられるとともに、
前記第６の平面部分Ｋと第６の折り曲げ部分Ｌと第７の平面部分Ｍは、各切り込みが外側に開くように９０度ずつ折り曲げてコ字状に折り曲げられるとともに、
第８の平面部分Ｎは、第７の折り曲げ部分Ｏの切り込みが外側に開くように折り曲げられて、第６の平面部分Ｋと第７の平面部分Ｍとの間に配設された状態に形成され、
各層の平面部分の少なくとも何れかの層に、収納物の形状に応じたくり抜き部分が形成され、
前記第３の折り曲げ部分Ｆ及び第第６の折り曲げ部分Ｌの外側に前記第１の折り曲げ部分Ｂが重なって二重になった部分には空間Ｚが形成され、
第１の平面部分Ａの波型と第１の折り曲げ部分Ｂの波型、第１の折り曲げ部分Ｂの波型と第２の平面部分Ｃの波型、第２の平面部分Ｃの波型と第２の折り曲げ部分Ｄの波型、第２の折り曲げ部分Ｄの波型と第３の平面部分Ｅの波型、第３の平面部分Ｅの波型と第３の折り曲げ部分Ｆの波型、及び第３の折り曲げ部分Ｆの波型と第４の平面部分Ｇの波型は、それぞれ９０度に形成され，
第１の平面部分Ａの波型と第５の折り曲げ部分Ｊの波型、第５の折り曲げ部分Ｊの波型と第６の平面部分Ｋの波型、第６の平面部分Ｋの波型と第６の折り曲げ部分Ｌの波型、及び第６の折り曲げ部分Ｌの波型と第７の平面部分Ｍの波型は、それぞれ９０度に形成されてなる構成とした。
【００１４】
なお、一般的な段ボール素材には、その製造過程に起因する表裏の区別があるが、本発明においては、何れの面を、特許請求の範囲に言うところの「一面」もしくは「他面」と解釈する場合も、その特許請求の範囲に包含していることはいうまでもない。請求項２の段ボール製緩衝材は、第１の平面部分、第２の平面部分、もしくは第３の平面部分の少なくとも何れか一つの平面部分に、収納物を収納しうるくり抜き部を形成したものである。
【００１５】
請求項２の段ボール製緩衝材は、請求項１に記載の段ボール製緩衝材で多層構造の柱状体を形成し、この柱状体の側面に収納物を挿入するための開口部を設けたものである。
【００１６】
【発明の実施の形態】
以下に、本発明にかかる段ボール製緩衝材を説明するために、まず、参考例として、図１〜図７までを参照して３層構成のものから６層構成のものまで順次説明し、その後、本発明の実施の形態として８層構成の緩衝材を、図８を参照して説明する。
【００１７】
図１において、１は、参考例としての３層構成の段ボール製緩衝材を形成するための段ボール素材であり、中芯の波形と平行な方向に横長であり、表側のライナー層11と中芯の波形層12と裏側のライナー層13とから構成されている。前記段ボール素材１に３本の切り込みを設けて、４つの部分Ｐ，Ｑ，Ｒ，Ｔを形成する。
【００１８】
Ｐは第１の平面部分、Ｑは第１の折り曲げ部分、Ｒは第２の平面部分、Ｓは第２の折り曲げ部分、Ｔは第３の平面部分であり、各部分Ｐ、Ｑ、Ｒ、Ｓ、Ｔは、段ボールの中芯の波形と平行な方向に順次隣り合って繋がった状態で、横長の段ボール素材１を形成している。第１の折り曲げ部分Ｑの切り込みｑ１，ｑ２は、当該段ボールの１層分の厚みの幅で平行に形成された２本の切り込みであり、少なくとも裏面側のライナー層13を残して表面側から切り込み加工され、２本の切り込みｑ１，ｑ２の間に段ボールの厚みの幅の平面部分ｑ３が形成されている。
【００１９】
第２の折り曲げ部分Ｓの切り込みｓ１は、少なくとも裏面側のライナー層13を残して表面側から切り込み加工されている。
【００２０】
このように、段ボール素材１の各切り込みｑ１，ｑ２，ｓ１は全て表側から切り込み加工されているので、図２に示したように同じ向きに容易に折り曲げられる。さらに、前記第１の平面部分Ｐと第１の折り曲げ部分の平面部分ｑ３と第２の平面部分Ｒとは、各切り込みｑ１，ｑ２が外側に開くように９０度ずつ折り曲げるとコ字状に折り曲げられる。従って、第１の平面部分Ｐと第１の折り曲げ部分と第２の平面部分Ｒの波型は９０度になっている。
【００２１】
そして、第３の平面部分Ｔは、第２の折り曲げ部分の切り込みｓ１が外側に開くように折り曲げると、第１の平面部分Ｐと第２の平面部分Ｒの間に折り込まれ、図３のような、３層構成の段ボール製緩衝材２が得られるのである。
なお、図３のように積層した状態では、各平面部分の繋がり方が判別しにくいので、以後の各図においては、ライナー層で繋がって折り曲げられている切り込みの部分に黒丸を付して目印とした。
【００２２】
一般的に、図１に示したような段ボールにおいては、中芯の波形層12が歪むことによって外部からの衝撃を吸収する。そして、波形層12の波形に直交する方向からの衝撃は吸収しやすい。しかし、波形層12の波形に平行な方向からの外力に対しては歪みにくいので、その方向の衝撃は殆ど吸収せず、この方向には、収納物を固定保持する機能を有する。
【００２３】
よって、図３の段ボール製緩衝材２においては、第１の平面部分Ｐ、第２の平面部分Ｒ、第３の平面部分Ｔの３層では、波形層12に直交する方向からの衝撃、即ち、Ｙ軸、Ｚ軸方向からの衝撃は、前記各平面部分Ｐ、Ｒ、Ｔの波形層12が歪むことによってよく吸収する。
そして、Ｘ軸方向からの衝撃は、第１の折り曲げ部分Ｑの波形層12が歪むことによって若干吸収する。
【００２４】
全体的には、Ｚ軸方向の衝撃吸収力が最も大きく、続いてＹ軸方向の吸収力が大きい。そして、Ｘ軸方向の衝撃に対しても第１の折り曲げ部分Ｑの波形層12が歪むことによる衝撃吸収力が得られる。
このようにして、この段ボール製緩衝材２によれば、あらゆる方向からの衝撃をそれぞれ吸収することができるので、効果的な緩衝材として使用することができる。
【００２５】
さらに、波形の方向に直交する方向に、段ボールの表面側からの切り込み加工をするだけで、折り畳みのための加工が完了するので、作業能率が高いという効果も得られる。
また、定型の段ボール素材から長方形状に切り取って、切り込み加工を加えるだけでよいので、廃棄する切れ端が発生しにくく段ボールの無駄がない。
【００２６】
以上の説明においては、衝撃吸収力について説明したが、Ｘ軸方向の固定保持機能を活用するために、複数の段ボール製緩衝材を組み合わせるとよい。また、３層の平面部分の少なくとも何れかの層に、収納物の形状に応じたくり抜き部分を設けることによって、緩衝機能に加えて収納物を確実に固定保持する機能も同時に得られる。
【００２７】
なお、切り込みはミシン目状のものでも、押し潰したものでもよい。
【００２８】
以上の例は３層構成の例であるが、図４に示したように段ボール素材を加工し、図５、図６に示したような５層構成の段ボール製緩衝材３を得ることも可能である。
図４においては、第１の平面部分Ｐ、第１の折り曲げ部分Ｑ、第２の平面部分Ｒ、第２の折り曲げ部分Ｓ、第３の平面部分Ｔ、第３の折り曲げ部分Ｕ、第４の平面部分Ｖが順次隣り合って繋がり、さらに、第５の平面部分Ｍは第４の折り曲げ部分Ｎを介して、第１の折り曲げ部分Ｑの反対側で前記第１の平面部分Ｐと隣り合って繋がっている。
【００２９】
そして、図５、図６のように折り畳んだ状態では、第１の平面部分Ｐが最上層、第５の平面部分Ｍが第２層、第３の平面部分Ｔが第３層、第４の平面部分Ｖが第４層、第２の平面部分Ｒが最下層として、それぞれ配設されている。
この場合には、Ｘ軸方向からの衝撃に対しては、第１の折り曲げ部分Ｑと第２の折り曲げ部分Ｓの二つの部分の波形層12が歪むので、Ｘ軸方向からの衝撃に対しても大きな吸収力が得られる。即ち、図３の段ボール製緩衝材２に比較して、Ｚ軸方向とＹ軸方向だけでなく、Ｘ軸方向の衝撃吸収力も、より大きなものが得られる。
【００３０】
なお、第１の折り曲げ部分Ｑの幅は、全体の層数である５から最上層と最下層の分を引いた３層分の厚みと同じ幅にするとよい。
そして、第２の折り曲げ部分Ｓの幅は、前記第１の折り曲げ部分Ｑより狭い幅とし、第３の折り曲げ部分の幅は、前記第２の折り曲げ部分Ｓより狭い幅とする。
そして、図４において一点鎖線で示した部分をくり抜いてくり抜き部４を形成する。このくり抜き部によって、収納物を保護しつつ固定保持できる緩衝機能と保持機能とをあわせ持った最適な梱包材が得られる。
【００３１】
以上の参考例においては、３層構成の場合と５層構成の参考例を説明したが、図７に、４層構成、６層構成の参考例を図示した。
【００３２】
図８においては、本発明の段ボール製緩衝材の実施形態の側面図を示した。
本発明にかかる難ボール製緩衝材の実施例は、図８の（ａ）、（ｂ）に示したように、
段ボールの中芯の波形と平行な方向に順次隣り合う第１の平面部分Ａと第２の平面部分Ｃと第３の平面部分Ｅと第４の平面部分Ｇと第５の平面部分Ｈとの間にそれぞれ形成される第１の折り曲げ部分Ｂと第２の折り曲げ部分Ｄと第３の折り曲げ部分Ｆと第４の折り曲げ部分Ｉを順次折り畳み、さらに、前記第１の平面部分Ａの第２の平面部分Ｃの反対側に順次隣り合う第６の平面部分Ｋと第７の平面部分Ｍと第８の平面部分Ｎとの間にそれぞれ形成される第５の折り曲げ部分Ｊと第６の折り曲げ部分Ｌと第７の折り曲げ部分Ｏを順次折り畳むことによって、平面部分が８層に積層された段ボール製緩衝材であって、
第１の折り曲げ部分Ｂには、当該段ボールの１層分の厚みのほぼ整数倍の幅で平行に形成された２本の切り込みが、少なくとも一面側のライナー層を残して他面側から形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
前記第２の平面部分Ｃと第２の折り曲げ部分Ｄと第３の平面部分Ｅは、各切り込みが外側に開くように９０度ずつ折り曲げてコ字状に折り曲げられるとともに、
前記第３の平面部分Ｅと第３の折り曲げ部分Ｆと第４の平面部分Ｇは、各切り込みが外側に開くように９０度ずつ折り曲げてコ字状に折り曲げられるとともに、
第５の平面部分Ｈは、第４の折り曲げ部分Ｉの切り込みが外側に開くように折り曲げられて、第３の平面部分Ｅと第４の平面部分Ｇとの間に配設された状態に形成され、
第２の折り曲げ部分Ｄには、前記第１の折り曲げ部分Ｂの幅より狭い２本の切り込みもしくは１本の切り込みが、少なくとも前記一面側のライナー層を残して他面側から形成され、
第３の折り曲げ部分Ｆには、前記第２の折り曲げ部分Ｄの幅より狭い２本の切り込みもしくは１本の切り込みが、少なくとも前記一面側のライナー層を残して他面側から形成され、
前記第１の平面部分Ａと第１の折り曲げ部分Ｂと第２の平面部分Ｃは、各切り込みが外側に開くように９０度ずつ折り曲げてコ字状に折り曲げられるとともに、
第５の折り曲げ部分Ｊには、前記第１の折り曲げ部分Ｂの幅より狭い２本の切り込みもしくは１本の切り込みが、少なくとも前記一面側のライナー層を残して他面側から形成され、
第６の折り曲げ部分Ｌには、前記第５の折り曲げ部分Ｊの幅より狭い２本の切り込みもしくは１本の切り込みが、少なくとも前記一面側のライナー層を残して他面側から形成され、
前記第１の平面部分Ａと第５の折り曲げ部分Ｊと第６の平面部分Ｋは、各切り込みが外側に開くように９０度ずつ折り曲げてコ字状に折り曲げられるとともに、
前記第６の平面部分Ｋと第６の折り曲げ部分Ｌと第７の平面部分Ｍは、各切り込みが外側に開くように９０度ずつ折り曲げてコ字状に折り曲げられるとともに、
第８の平面部分Ｎは、第７の折り曲げ部分Ｏの切り込みが外側に開くように折り曲げられて、第６の平面部分Ｋと第７の平面部分Ｍとの間に配設された状態に形成され、
各層の平面部分の少なくとも何れかの層に、収納物の形状に応じたくり抜き部分が形成され、
前記第３の折り曲げ部分Ｆ及び第第６の折り曲げ部分Ｌの外側に前記第１の折り曲げ部分Ｂが重なって二重になった部分には空間Ｚが形成され、
第１の平面部分Ａの波型と第１の折り曲げ部分Ｂの波型、第１の折り曲げ部分Ｂの波型と第２の平面部分Ｃの波型、第２の平面部分Ｃの波型と第２の折り曲げ部分Ｄの波型、第２の折り曲げ部分Ｄの波型と第３の平面部分Ｅの波型、第３の平面部分Ｅの波型と第３の折り曲げ部分Ｆの波型、及び第３の折り曲げ部分Ｆの波型と第４の平面部分Ｇの波型は、それぞれ９０度に形成され，
第１の平面部分Ａの波型と第５の折り曲げ部分Ｊの波型、第５の折り曲げ部分Ｊの波型と第６の平面部分Ｋの波型、第６の平面部分Ｋの波型と第６の折り曲げ部分Ｌの波型、及び第６の折り曲げ部分Ｌの波型と第７の平面部分Ｍの波型は、それぞれ９０度に形成されている。
二重になった折り曲げ部分Ｂ，Ｆ，Ｌの間に空間Ｚが形成されているので、図４に示したようなくり抜き部を設けて収納物を収納するとき、前記空間Ｚによる緩衝機能も効果的に得られるようになる。
図８の（ａ）には側面図を示し、図８の（ｂ）には折り畳む途中の側面図を示した。
また、請求項２に対応する実施の形態の段ボール製緩衝材は、図９に示したように、請求項１による段ボール製緩衝材で多層構造の柱状体５，５を構成するとともに、それぞれの側面に開口部51，51を設けることによって得られる。この場合は、収納物６の両端を前記開口部51,51 に挿入することによって、保持機能と緩衝機能とが得られる。
【００３３】
以上の説明においては、表側のライナー層11と中芯の波形層12と裏側のライナー層13とが、それぞれ１層ずつ積層された構成の段ボール素材を例示したが、２層以上の中芯の波形層を持ち、これらの波形層の間にそれぞれ中間ライナー層をもった構造の段ボール素材を用いることも可能である。このように、中芯の波形層を複数もった段ボール素材の場合には、厚い段ボール素材を得やすいので、少ない折り曲げ回数で、即ち、切り込みを形成する箇所を少なくして、充分な厚さの緩衝材を得ることが可能になるのである。
【００３４】
【発明の効果】
以上のように、請求項１の発明によれば、隣接する２つの平面部分とその間の折り曲げ部分はコ字状に折り曲げられて、８層構造に折り畳まれているので、各方向からの衝撃に対する吸収力が得られるとともに、収納物の固定保持機能も得られ、好適な緩衝材が得られる。また、切り込みの加工は段ボールの何れか一方の面側からのみでよいので、作業効率が優れているという効果も得られる。
また、二重になった折り曲げ部分Ｂ，Ｆ，Ｌの間に空間Ｚが形成されているので、緩衝機能も効果的に得られるようになる。
また、緩衝材を構成する少なくとも何れか一つの平面部分にくり抜き部を形成したので、収納物を前記くり抜き部に収納することによって、確実な緩衝機能と保持機能とが得られる。
また、折り曲げ部分と平面部分の波型が９０度になるので、あらゆる方向からの振動を吸収することができる。
【００３５】
さらに、接着剤等も不要であるとともに、無駄な切れ端も出にくいので、低コストで、環境汚染の問題の少ない効果的な緩衝材を得ることができるのである。
【００３６】
また、請求項２の発明によれば、請求項１に記載の段ボール製緩衝材で形成した柱状体の側面に開口部を設けたので、複数の柱状体を、それぞれの開口部が向かい合うように配設して、収納物の端部を前記開口部に挿入することによって、緩衝機能と保持機能とが得られる。
【図面の簡単な説明】
【図１】  本発明にかかる段ボール製緩衝材を説明するために、３層構成の段ボール製緩衝材を構成する段ボール素材の折り畳む前の状態を示した一部を切り欠いた平面図である。
【図２】  図１の段ボール素材を折り畳む途中の状態を示す側面図である。
【図３】  出来上がった段ボール製緩衝材の斜視図である。
【図４】  本発明にかかる段ボール製緩衝材を説明するために示した５層構成の段ボール製緩衝材の、折り畳む前の状態の段ボール素材の一部切り欠き平面図である。
【図５】  本発明にかかる段ボール製緩衝材を説明するために示した５層構成の段ボール製緩衝材の側面図である。
【図６】  本発明にかかる段ボール製緩衝材を説明するために示した５層構成の段ボール製緩衝材の斜視図である。
【図７】  本発明にかかる段ボール製緩衝材を説明するために示した４層構成の段ボール製緩衝材と、６層構成の段ボール製緩衝材の側面図である。
【図８】  本発明にかかる段ボール製緩衝材の実施の形態としての８層構成の段ボール製緩衝材の側面図である。
【図９】  請求項２の段ボール製緩衝材の実施の形態を示す斜視図である。
【符号の説明】
10 段ボール製緩衝材
Ａ 第１の平面部分
Ｃ 第２の平面部分
Ｅ 第３の平面部分
Ｇ 第４の平面部分
Ｈ 第５の平面部分
Ｋ 第６の平面部分
Ｍ 第７の平面部分
Ｎ 第８の平面部分
Ｂ 第１の折り曲げ部分
Ｄ 第２の折り曲げ部分
Ｆ 第３の折り曲げ部分
Ｉ 第４の折り曲げ部分
Ｊ 第５の折り曲げ部分
Ｌ 第６の折り曲げ部分
Ｏ 第７の折り曲げ部分
４ くり抜き部
５ 柱状体
51 開口部
【図１】
0003648340.tif 000002
【図２】
0003648340.tif 000003
【図３】
0003648340.tif 000004
【図４】
0003648340.tif 000005
【図５】
0003648340.tif 000006
【図６】
0003648340.tif 000007
【図７】
0003648340.tif 000008
【図８】
0003648340.tif 000009
【図９】
0003648340.tif 000010